(57)【要約】      （修正有）【課題】トリガ信号に応じて、発光状態を自在に制御することができる乗客コンベアの照明装置の提供。【解決手段】乗客コンベアの欄干に配設され、乗降口、及び踏段を照らす乗客コンベアの照明装置において、ＬＥＤ光源部と、このＬＥＤ光源部に電源を供給する電源回路９と、ＬＥＤ光源部と電源回路９との間に設けられ、トリガ信号を受けてＬＥＤ光源部を制御する制御回路１０とを備えた。制御回路１０は、トリガ信号に応じて、ＬＥＤ光源部の点滅回数や点滅周期、ＬＥＤ照度の増減、及び発光色を制御可能になっている。ＬＥＤ光源部は、例えば１個の発光素子６と、導光板７とから成り、導光板７の片端に発光素子６を設けた構成にしてある。【選択図】図１
2009190884.tif 000002
【特許請求の範囲】
【請求項１】
乗客コンベアの欄干部に配設され、乗降口、及び踏段を照らす乗客コンベアの照明装置において、
ＬＥＤ光源部と、このＬＥＤ光源部に電源を供給する電源回路と、前記ＬＥＤ光源部と前記電源回路との間に設けられ、トリガ信号を受けて前記ＬＥＤ光源部を制御する制御回路とを備えたことを特徴とする乗客コンベアの照明装置。
【請求項２】
前記請求項１記載の乗客コンベアの照明装置において、
前記制御回路は、前記トリガ信号に応じて、前記ＬＥＤ光源部の点滅回数や点滅周期、ＬＥＤ照度の増減、及び発光色を制御可能であることを特徴とする乗客コンベアの照明装置。
【請求項３】
前記請求項１記載の乗客コンベアの照明装置において、
前記ＬＥＤ光源部は、複数個の発光素子と、導光板とから成り、前記導光板の片端若しくは両端に、複数個の前記発光素子を設けたことを特徴とする乗客コンベアの照明装置。
【請求項４】
請求項３記載の乗客コンベアの照明装置において、
前記ＬＥＤ光源部は、少なくとも２色の発光が可能な前記発光素子を含むことを特徴とする乗客コンベアの照明装置。
【発明の詳細な説明】
【技術分野】
【０００１】
本発明は、乗客コンベアの欄干部に配設され、乗降口、及び踏段を照らす乗客コンベアの照明装置に関する。
【背景技術】
【０００２】
この種の従来技術として、特許文献１に示されるものがある。この従来の乗客コンベアの照明装置は、乗客検出信号を捉えて、乗客コンベアを起動、停止させる制御装置のトリガ信号と同期させて、一定期間乗客を検知しないと照明装置の照度を減少させ、ランプ寿命を延ばそうとするものである。
【特許文献１】特開２００４−１９２６公報
【発明の開示】
【発明が解決しようとする課題】
【０００３】
上述した従来の乗客コンベアの照明装置は、光源に蛍光灯を用いており、制御回路によって照度の増減を実現させることは困難であった。また、蛍光灯の点滅を行なうとランプの寿命が短くなってしまう問題があった。このように従来技術は、発光状態の制御に制約を受けやすかった。
【０００４】
本発明は、前述した従来技術における実状からなされたもので、その目的は、トリガ信号に応じて、発光状態を自在に制御することができる乗客コンベアの照明装置を提供することにある。
【課題を解決するための手段】
【０００５】
前記目的を達成するために、本発明に係る乗客コンベアの照明装置は、乗客コンベアの欄干部に配設され、乗降口、及び踏段を照らす乗客コンベアの照明装置において、ＬＥＤ光源部と、このＬＥＤ光源部に電源を供給する電源回路と、前記ＬＥＤ光源部と前記電源回路との間に設けられ、トリガ信号を受けて前記ＬＥＤ光源部を制御する制御回路とを備えたことを特徴としている。
【０００６】
また、本発明に係る乗客コンベアの照明装置は、前記発明において、前記制御回路は、前記トリガ信号に応じて、前記ＬＥＤ光源部の点滅回数や点滅周期、ＬＥＤ照度の増減、及び発光色を制御可能であることを特徴としている。
【０００７】
また、本発明に係る乗客コンベアの照明装置は、前記発明において、前記ＬＥＤ光源部は、複数個の発光素子と、導光板とから成り、前記導光板の片端若しくは両端に、複数個の前記発光素子を設けたことを特徴としている。
【０００８】
また、本発明に係る乗客コンベアの照明装置は、前記発明において、前記ＬＥＤ光源部は、少なくとも２色の発光が可能な前記発光素子を含むことを特徴としている。
【発明の効果】
【０００９】
本発明によれば、従来の照明装置では困難であったトリガ信号に応じて、発光状態を自在に制御することが可能となり、従来に比べて照明機能を向上させることができる。また、消費電力を抑制することが可能となり、これにより経済性を向上させることができ、また装置の長寿命化を実現させることができる。
【発明を実施するための最良の形態】
【００１０】
以下、本発明の乗客コンベアの照明装置に関する実施形態を図に基づいて説明する。
【００１１】
図１は本発明の乗客コンベアの照明装置の一実施形態を示す構成図、図２は本実施形態を乗客コンベアに取り付けた状態を示す斜視図、図３は本実施形態に備えられるＬＥＤ光源部の一例を示す斜視図である。
【００１２】
図２に示すように、本実施形態に係る照明装置２，３は、欄干１の下部の乗降口４付近や、移動手摺５の下部に配置される。これらの照明装置２，３に備えられるＬＥＤ光源部は、図３に示すように、発光素子６と、導光板７と、この導光板７に貼付若しくは刻印した反射ドット８とから構成されている。発光素子６は、例えば導光板７の片端に１個設けてある。発光素子６から出た光は、導光板７の側面部から入射され、導光板７に入射された光は、導光板７内において反射を繰り返しながら広がる。この際に、反射ドット８に光が当たると、そこで光が散乱し、導光板７の表面から光が放射される。
【００１３】
本実施形態は、図１に示すように、反射ドット８を有する導光板７、及び発光素子６から成るＬＥＤ光源部と、このＬＥＤ光源部に電源を供給する電源回路９との間に制御回路１０を設けてあり、この制御回路１０に入力されるトリガ信号１１に応じてＬＥＤ光源部が制御されるようになっている。例えば制御回路１０によって、ＬＥＤ電源部の点滅回数や点滅周期、ＬＥＤ照度の増減、及び発光色が制御可能になっている。
【００１４】
なお、電源回路９には、図示しないコンセントに接続される電気プラグ１２が付設されている。また、発光素子６と導光板７とから成るＬＥＤ光源部は、乗客コンベアの欄干１部分に取り付けられる窓１３に対向するように配置させてある。ＬＥＤ光源部の光は、窓１３を通して乗降口４及び踏段を照らすようになっている。
【００１５】
このように構成した本実施形態に係る照明装置２，３は、図１に示すトリガ信号、例えば乗客コンベアへの乗客の乗り込み検知信号に応じて、制御回路１０が、ＬＥＤ光源部の発光素子６の点滅回数や点滅周期、照度の増減、及び発光色を制御可能であるので、ＬＥＤ光源部の発光状態を自在に制御することができ、照明機能を向上させることができる。また、消費電力を抑制することが可能になり、これにより経済性を向上させることができ、また装置の長寿命化を実現させることができる。
【００１６】
なお、図３に示すＬＥＤ光源部は、１個の発生素子６を導光板７の片端に設けた構成にしてあるが、導光板７の他の片端にも別の１個の発光素子６を設けた構成にしてもよい。
【００１７】
なお、トリガ信号として、故障検知信号や、いたずら検知信号を選定し、これらのトリガ信号に関連づけて点滅回数や点滅周期、照度の増減、及び発光色を予め設定しておけば、本実施形態の照明装置２，３の点灯状態を見るだけで、故障状況や、いたずらの種類を容易に把握することができ、保全の簡易化を実現させることができる。
【００１８】
図４は本実施形態に備えられるＬＥＤ光源部の他の例を示す斜視図である。この図４に示すＬＥＤ光源部は、導光板７の両端に複数個の発光素子６を設けてある。発光素子６は、少なくとも２色のものから構成されている。例えば、この図４に示す発光素子６は、赤、青、緑の光の３原色の発光が可能になっている。
【００１９】
この図４に示すようにＬＥＤ光源部を構成したものは、制御回路１０によって発光素子６の点灯数を制御することにより照度の増減を制御できる。また、発光素子６の各発光色の発光強度と、発光タイミングとを組み合わせて発光させることで、様々な発色が可能となり、意匠性を向上させることができる。また、注意喚起機能を向上させることができ、これによって優れた安全性の確保に貢献する。
【００２０】
なお、図４に示すＬＥＤ光源部は、複数の発光素子６を導光板６の両端に設けた構成にしてあるが、複数の発光素子６を片端のみに設けた構成にしてもよい。
【図面の簡単な説明】
【００２１】
【図１】本発明の乗客コンベアの照明装置の一実施形態を示す構成図である。
【図２】本実施形態を乗客コンベアに取り付けた状態を示す斜視図である。
【図３】本実施形態に備えられるＬＥＤ光源部の一例を示す斜視図である。
【図４】本実施形態に備えられるＬＥＤ光源部の他の例を示す斜視図である。
【符号の説明】
【００２２】
１    欄干
２    照明装置
３    照明装置
４    乗降口
５    移動手摺
６    発光素子
７    導光板
８    反射ドット
９    電源回路
１０    制御回路
１１    トリガ信号
１２    電気プラグ
１３    窓
【図１】
2009190884.tif 000003
【図２】
2009190884.tif 000004
【図３】
2009190884.tif 000005
【図４】
2009190884.tif 000006